(57)【要約】【課題】本発明の解決しようとする課題は、子供の属性に応じた最適な広告情報をタイムリーに入手することができるベビーカー及び、このベビーカーに広告を配信するシステムを提案するものである。【解決手段】乳幼児を乗せるためのベビーカーであって、座席に座った乳幼児の体重を測定する体重測定手段と、測定した体重を一定時間毎にサーバーに送る送信手段と、サーバーから配信された広告を受信する受信手段と、配信された広告を表示するための表示手段とを有することを特徴とするベビーカー、並びに、ベビーカーから送信された体重データを受信すると、ベビーカーに乳幼児が着座したと判定し、かつその体重データから座席に座った乳幼児の年齢を推定して、その年齢に適した広告を配信するサーバーを備えた広告配信システムである。【選択図】図１
2018049541.tif 000002
【特許請求の範囲】
【請求項１】
乳幼児を乗せるためのベビーカーであって、座席に座った乳幼児の体重を測定する体重測定手段と、測定した体重を一定時間毎にサーバーに送る送信手段と、サーバーから配信された広告を受信する受信手段と、配信された広告を表示するための表示手段とを有することを特徴とするベビーカー。
【請求項２】
座席に座った乳幼児の体温を測定する体温測定手段と、測定した体温をサーバーに送る送信手段を有することを特徴とする請求項１に記載のベビーカー。
【請求項３】
ベビーカーの位置情報をサーバーに送信するＧＰＳ機能を有することを特徴とする請求項１または２に記載のベビーカー。
【請求項４】
ベビーカーから送信された体重データを受信すると、ベビーカーに乳幼児が着座したと判定し、かつその体重データから座席に座った乳幼児の年齢を推定して、その年齢に適した広告を配信するサーバーを備えた広告配信システム。
【請求項５】
ベビーカーから送信された乳幼児の体温データから、体温が基準値以上である場合にのみ、乳幼児が着座したものと判定することを特徴とする請求項４に記載の広告配信システム。
【請求項６】
ベビーカーから送信された位置情報データに基づき、ベビーカーの現在位置において利用可能な広告を選択的に配信することを特徴とする請求項４または５に記載の広告配信システム。
【発明の詳細な説明】
【技術分野】
【０００１】
本発明は、家庭や店舗において乳幼児を乗せるベビーカー（ベビーカート）に関し、特に乗せた乳幼児の属性に特化した広告を表示する機能を有するベビーカー（ベビーカート）及びこれに用いる広告配信システムに関する。
【背景技術】
【０００２】
乳幼児を乗せて移動するための車としては、一般家庭において用いられるベビーカーと、大型店舗などにおいて用いられるベビーカートがある。両者には折畳みの可否や、構造や材質において差があるものの、乳幼児を乗せて移動する点において本質的には同一と考えられるので、以下、本発明においてはベビーカーと総称する。
【０００３】
従来、店舗において使用するショッピングカートに広告等を表示する提案はいくつかなされている。特許文献１に記載されたショッピングカートは、大型店舗などで用いられるショッピングカートで、子供を親と向かい合わせに座らせるタイプのカートにおいて、持ち手部分に親と子のどちらにも向けることの出来る表示装置を取り付け、表示装置がどちらに向けられているかによって、親向けの情報と子供向けの情報を切り替えられるようにしたものである。
【０００４】
特許文献１に記載されたショッピングカートは、従来親向けの情報ばかりが表示されて、子供が退屈してしまうという問題を解決するためになされたものであり、表示装置を子供側に向けた場合には、子供向けのゲームやムービーを提供することができるようにしたものである。
【０００５】
特許文献１に記載されたショッピングカートから提供される情報は、親向けの情報か子供向けの情報か２者択一的なものであり、親にとって真に役立つ情報が提供されているという保証はなかった。
【０００６】
特許文献２に記載された広告出力システム、及び、広告出力方法は、店舗内を移動するショッピングカートに取り付けられ、ショッピングカートの使用者に向けて音声を出力する超指向性スピーカ及びショッピングカートの使用者を撮影する撮影手段を備えたカート端末装置を用い、撮影手段の撮影画像に基づいて、ショッピングカートの使用者の属性を判別し、店舗で販売中の商品を広告する複数の広告音声の中から、ショッピングカートの使用者の属性に基づいて広告音声を選択し、選択した広告音声をカート端末装置の超指向性スピーカから出力させるシステムである。
【０００７】
特許文献２に記載された広告出力システムは、ショッピングカートの使用者の属性を判断し、使用者に最適な広告を提供しようとする点においては優れた着想であるものの、判断基準として顔の撮影画像を用いる点において、使用者の賛同を得難い恐れがあった。
【０００８】
また、子供を連れた親にとって、最大の関心事は、自分の子供の発達段階に応じた商品の購入である場合が多いが、上記の従来の提案は、いずれもこれを満たすものではなかった。
【先行技術文献】
【特許文献】
【０００９】
【特許文献１】特開２０１２−２１８５０２号公報
【特許文献２】特開２０１０−３２８５１号公報
【発明の概要】
【発明が解決しようとする課題】
【００１０】
本発明の解決しようとする課題は、子供の属性に応じた最適な広告情報をタイムリーに入手することができるベビーカー及び、このベビーカーに広告を配信するシステムを提案するものである。
【課題を解決するための手段】
【００１１】
上記の課題を解決するための手段として、請求項１に記載の発明は、乳幼児を乗せるためのベビーカーであって、座席に座った乳幼児の体重を測定する体重測定手段と、測定した体重を一定時間毎にサーバーに送る送信手段と、サーバーから配信された広告を受信する受信手段と、配信された広告を表示するための表示手段とを有することを特徴とするベビーカーである。
【００１２】
本発明に係るベビーカーは、体重を測定する手段を備えたことにより、着座の確認と、さらに体重データから乳幼児の年齢を推定することが可能となった。
【００１３】
また、請求項２に記載の発明は、座席に座った乳幼児の体温を測定する体温測定手段と、測定した体温をサーバーに送る送信手段を有することを特徴とする請求項１に記載のベビーカーである。
【００１４】
また、請求項３に記載の発明は、ベビーカーの位置情報をサーバーに送信するＧＰＳ機能を有することを特徴とする請求項１または２に記載のベビーカーである。
【００１５】
また、請求項４に記載の発明は、ベビーカーから送信された体重データを受信すると、ベビーカーに乳幼児が着座したと判定し、かつその体重データから座席に座った乳幼児の年齢を推定して、その年齢に適した広告を配信するサーバーを備えた広告配信システムである。
【００１６】
また、請求項５に記載の発明は、ベビーカーから送信された乳幼児の体温データから、体温が基準値以上である場合にのみ、乳幼児が着座したものと判定することを特徴とする請求項４に記載の広告配信システムである。
【００１７】
また、請求項６に記載の発明は、ベビーカーから送信された位置情報データに基づき、ベビーカーの現在位置において利用可能な広告を選択的に配信することを特徴とする請求項４または５に記載の広告配信システムである。
【発明の効果】
【００１８】
本発明に係るベビーカーは、座席に座った乳幼児の体重を測定する体重測定手段と、測定した体重を一定時間毎にサーバーに送る送信手段と、サーバーから配信された広告を受信する受信手段と、配信された広告を表示するための表示手段とを有するので、ベビーカーから送信された体重データを受信すると、ベビーカーに乳幼児が着座したと判定し、かつその体重データから座席に座った乳幼児の年齢を推定して、その年齢に適した広告を配信するサーバーを備えた広告配信システムと組合わせることにより、乳幼児の年齢に適した広告を閲覧することができる。
【００１９】
このため、消費者の利便性が高まり、商品の販売も促進される。さらに広告収入によってベビーカーや広告配信システムの費用がまかなわれるため、メーカー、販売店、消費者のいずれにも利得をもたらすものとなる。
【００２０】
請求項２に記載の発明のように、ベビーカーが、座席に座った乳幼児の体温を測定する体温測定手段と、測定した体温をサーバーに送る送信手段を有する場合には、請求項５に記載した広告配信システムと組合わせることにより、例えば座席に乳幼児ではなく、単に荷物を置いた場合などに、乳幼児が着座したと誤った判定をすることを防止する効果がある。
【００２１】
請求項３に記載の発明のように、ベビーカーが、ベビーカーの位置情報をサーバーに送信するＧＰＳ機能を有する場合には、請求項６に記載した広告配信システムと組合わせることにより、例えば大規模なショッピングモールなどにおいて、その場所場所に応じた最適な広告を配信することが可能となる。
【図面の簡単な説明】
【００２２】
【図１】図１は、本発明に係るベビーカーの一例を示した模式図である。
【図２】図２は、本発明に係るベビーカーと請求項４に係る広告配信システムのフローを示したフローチャートである。
【図３】図３は、請求項２に係るベビーカーと請求項５に係る広告配信システムのフローを示したフローチャートである。
【発明を実施するための形態】
【００２３】
以下、図面を参照しながら、本発明に係るベビーカー並びに広告配信システムについて説明する。図１は、本発明に係るベビーカー１の一例を示した模式図である。図１に示した例は、大型店舗などで使用されるベビーカートの例であって、乳幼児が座る座席２と購入した商品を入れた買物かごを置く荷台７を備えている。
【００２４】
ベビーカーあるいはベビーカートには、さまざまな種類があり、その構造も材質もまちまちであるが、乳幼児が座る座席を備えた移動可能な車という点においては共通したものである。
【００２５】
図１に示した例は、比較的幼い子供にも対応できるように、落下防止用の前板を備えたものである。座席２の下部には、体重を測定するセンサーが取り付けられており、座った乳幼児の体重を測定することができる。またこの例では、座面の直下に体温測定用のセンサーが取り付けられており、座った乳幼児の体温を測定することができる。
【００２６】
ハンドル６の中央部には、モニター５が取り付けられており、店舗内に設置したサーバーから必要な商品情報が配信されるようになっている。
【００２７】
図２は、本発明に係るベビーカー１と請求項４に係る広告配信システムのフローを示したフローチャートである。ベビーカーに乳幼児を乗せると、体重測定手段３である重量センサーが働き、体重を測定する。測定した体重は、サーバーに送られる。
【００２８】
体重測定は、タイマーにより一定時間毎に繰り返し測定される。これは、ベビーカーが使用されなくなったのを検知することが目的である。
【００２９】
サーバーでは、体重値を受信すると、予め持っている体重と年齢の関係表データから、乳幼児の年齢を推定し、体重データを年齢データに変換する。体重データには、個人差が相当あるので、あまり細かい区分をしても意味がなく、大括りな区分で十分である。
【００３０】
次に予め別途入力しておいた子供の年齢に応じた商品情報をベビーカーに送信する。ベビーカーでは、これを受信して、モニター５に表示する。乳幼児の保護者は、これを見て、的確な商品を購入することができる。
【００３１】
図３は、請求項２に係るベビーカーと請求項５に係る広告配信システムのフローを示したフローチャートである。この例では、座面直下に体温測定手段４として体温センサーを備えている。体重データと共にサーバーに送られた体温データは、予め設定した値と比較して、それ以上であれば、乳幼児が実際に着座したと判断する。
【００３２】
これは、座席に荷物などを置いた場合に、乳幼児が座ったと誤判断するのを防止する効果がある。体温データが設定値に達しない場合には、乳幼児ではなく荷物が置かれたと判断して、乳幼児に関係のない、一般的な広告を送信することもできる。
【００３３】
このシステムの応用として、乳幼児の体温が異常に高いような場合には、発熱しているものと判断して、保護者に警告を与えることもできる。
【００３４】
請求項３に記載の発明のように、ベビーカー１の位置情報をサーバーに送信するＧＰＳ機能を備えることもできる。この場合には、例えば大型ショッピングセンターなどにおいて、予め蓄えた各売り場あるいは店舗の情報と照合して、その場所に応じた的確な広告情報を表示することができるので、購買者の利便性はさらに高まる。
【００３５】
今までの説明は、図１に示したようなショッピング用のベビーカートを中心にして説明したが、本発明は、純粋なベビーカーに応用しても良い。例えば、テーマパークや動物園などにおいて、本発明のシステムを搭載したレンタルあるいは無料のベビーカーを配置しておき、乳幼児の年齢とその場所に応じた最適な情報を配信することで、利用者の利便性が高めることが期待される。
【符号の説明】
【００３６】
１・・・ベビーカー
２・・・座席
３・・・体重測定手段
４・・・体温測定手段
５・・・モニター
６・・・ハンドル
７・・・荷台
【図１】
2018049541.tif 000003
【図２】
2018049541.tif 000004
【図３】
2018049541.tif 000005